(57)【要約】【課題】鼻と口を覆うマスクについて、マスク上部と鼻と頬骨の間に形成される隙間を減らし、隙間からの呼吸の洩れを減らしてメガネの曇りを軽減させることを目的とする。【解決手段】薄膜片３０は、適度の柔軟性をもち、マスク本体１０の内側上辺部に設けてあり、薄膜片の下辺中間部を膨らんだ状態にして、マスク上部と鼻と頬骨の間に形成される隙間を減らす。膨らませる方法は、薄膜片の下部を左右から寄せる方法及び、薄膜片下部に塑性変形する材料を取付けてその材料の変形を利用する方法、の一方又は両方を用いる。【選択図】図２
2016216873.tif 000002
【特許請求の範囲】
【請求項１】
マスク本体内側上辺部に、通気性がマスク本体より悪く、かつ適度に柔軟性がある薄膜片を有し、薄膜片上辺部の途中を基点にしてマスク中央部と端を下げて下辺を左右から寄せ、薄膜片の下辺を膨らませて使用することを特徴とするマスク。
【請求項２】
マスク本体内側上辺部に薄膜片を有するマスクにおいて、薄膜片の下辺にプラスチックなどの塑性変形する材料を取り付けし、この塑性変形により薄膜片の下辺を膨らませて使用することを特徴とするマスク。
【請求項３】
マスク本体内側上辺部に薄膜片を有し、薄膜片上辺部の途中を基点にしてマスク中央部と端の両方又は一方を下げて薄膜片の下辺を中央に寄せて膨らませて使用することを特徴とするマスクにおいて、薄膜片を膨らませる大きさを調整するために薄膜片を動かす度合いの目印を付けたマスク。
【発明の詳細な説明】
【技術分野】
【０００１】  本発明は、鼻と口を覆うマスクにおいて、上部の隙間を減らし、呼吸の漏れを減らし息によりメガネが曇ることを軽減させるマスクに関する。
【背景技術】
【０００２】  従来の一般的なマスクでは、鼻と口を覆うマスクにおいて、マスク上部と鼻と頬骨の間に形成される隙間から吐気が上昇し、吐気の水蒸気によりメガネが曇るという問題があった。【０００３】  このようなメガネの曇りを軽減ないし解消すべく、従来より幾つかの提案がなされている。【０００４】  例えば、特許文献１にあるように、マスク上部に塑性変形する樹脂や金属板をもうけ、これを鼻の形に合わせて折り曲げて前記の隙間を塞ぐように図っているものがある。【０００５】  また、例えば特許文献２にあるように、マスク上部に粘着性の物質を備え、鼻および頬と粘着することにより、前記隙間の密閉を図っているものがある。【０００６】  さらに、例えば特許文献３、４にあるように、マスク上部にスポンジ状物質を備え、前記の隙間を塞ぐように図っているものがある。【０００７】  さらにまた、例えば特許文献５、６にあるように、マスク上端部に薄膜状で空気を通さないか又は空気を通しにくい素材で構成された薄膜片の上縁のみを固着し、吐気によってマスク内の空気圧を利用して薄膜片を頬に押しつけることにより前記の隙間を塞ぐように図っているものがある
【先行技術文献】
【特許文献】
【０００８】
【特許文献１】  特開２００６−３０５２７９号広報
【特許文献２】  特開２００６−２６３１７２号広報
【特許文献３】  特開２００８−１４８９８４号広報
【特許文献４】  特開２００３−２３６０００号広報
【特許文献５】  特開２００７−５４２７０号広報
【特許文献６】  特開２００７−６１５８５号広報
【非特許文献】
【０００９】  なし
【発明の概要】
【発明が解決しようとする課題】
【００１０】  しかしながら、前述特許文献１に記載された塑性変形する樹脂や金属板をもうけたものでは、マスク上端部を頬に密着させることが難しく、前記の隙間を十分に塞ぐことができず、メガネの曇り止め機能は不十分である。【００１１】  また、前述特許文献２に記載された粘着性を付与したものでは、装着感の好みがあり、脱着回数も限定されると考えられ、必ずしも良い方法であるとはいえない。【００１２】  さらに、前述特許文献３、４に記載されたマスク上部にスポンジ状物質を備えたものでは、使わない時の厚み及び容積が大きく保管上で良いとはいえない。【００１３】  そして、前述特許文献５、６に記載された吐気によってマスク内の空気圧を利用して薄膜片を頬に押しつけるようにしたものでは、呼吸によって薄膜片が動き、薄膜片が必ずしも前記の隙間を塞ぐとはいえず、メガネの曇り止め機能が十分とはいえない。【００１４】  本発明は、このような事情に鑑みてなされたもので、装着者の鼻の両側部分と頬部分およびマスク上辺で形成される隙間を減らし、この隙間からの呼吸の漏れを減らしメガネが曇ることを軽減させたマスクを提供することを目的としている。
【課題を解決するための手段】
【００１５】  請求項１のマスクでは、鼻と口を覆うマスク本体内側上辺部に、通気性がマスク本体より悪く、かつ適度に柔軟性がある布状またはシート状の薄膜片を有し、薄膜片の上辺の途中を基点にして中央部と端部を下げることにより、薄膜片の下辺を膨らませ、鼻と頬とマスク上辺で形成される隙間を減らすことを特徴とする。【００１６】  請求項２のマスクでは、鼻と口を覆うマスク本体内側上辺部に、通気性がマスク本体より悪く、かつ適度に柔軟性がある布状またはシート状の薄膜片の下辺にプラスチック、アルミ等の塑性変形する材料を取り付け、鼻の形に折り曲げて薄膜片を膨らませることにより、鼻と頬とマスク上辺で形成される隙間を減らす薄膜片の膨らみを安定して保持することを特徴とする。【００１７】  請求項３では、鼻と口を覆うマスク本体内側上辺部に薄膜片を有し、薄膜片の一部を動かして下辺を膨らませ、鼻と頬とマスク上辺で形成される隙間を減らすことを特徴とするマスクにおいて、薄膜片を動かす位置の目印を付けることにより膨らませる度合いに合わせた動かす位置が判りやすく、再現性が良くなることを特徴とする。
【発明の効果】
【００１８】  本発明では、マスク使用時に薄膜片の下辺を膨らませることで、マスクを口鼻部に当てたときに膨らみは鼻と頬とマスク上辺の間に形成される呼吸漏れの隙間を減らし、メガネの曇りを軽減することができる。【００１９】  また、薄膜片の下辺を膨らませる大きさをマスクをする人の顔の形状に合わせて調節するために薄膜片の一部を動かすとき、動かす位置の目印を付けることにより、薄膜片を膨らませる大きさの目安となり、再現性も期待できる。【００２０】  本発明での薄膜片の下辺に取付けた塑性変形する材料は、耳掛紐による張力を受けないので、安定的に薄膜片の膨らみを保ち、呼吸の漏れを少なく維持することができる。【００２１】  本発明では、薄膜片と鼻の側面が薄膜面下部で接するので、マスク上辺にスポンジ等の弾性体を使用する方法に比べて、メガネの鼻当てとマスクの干渉を軽減することができる。【００２２】  本発明のマスクは、使用時には立体的な形状となるが、保管時は平面的であり、スポンジ等の弾性体を使用する方法に比べて保管の容積が少なくできる。
【図面の簡単な説明】
【００２３】
【図１】請求項１の実施の形態を示すプリーツ型マスクで薄膜片を膨らせる前の裏面図である
【図２】同上マスクで薄膜片を膨らせて使用する時の裏面図である
【図３】同上マスクを上から見た図である
【図４】請求項２の実施の形態を示すプリーツ型マスクで、薄膜片の両端を下げて下辺を寄せて膨らせるマスクの裏面図である
【図５】同上マスクで薄膜片を膨らせて使用する時の裏面図である
【図６】請求項２の実施の形態を示すプリーツ型マスクで、伸縮性のある薄膜片を用いた膨らせる前の裏面図である
【図７】請求項３のマスクに付ける目印の例である
【図８】請求項２の実施の形態を示す立体型マスクで、薄膜片の両端を下げて下辺を寄せて膨らせるマスクの裏面図である
【図９】同上マスクで薄膜片を膨らせて使用する時の裏面図である
【図１０】請求項２の実施の形態を示す立体型マスクで、伸縮性のある薄膜片を用いた膨らせる前の裏面図である
【図１１】請求項２の実施の形態を示す立体型マスクで、薄膜片を折り返して用いるマスクの膨らせる前の裏面図である
【発明を実施するための形態】
【００２４】  マスク本体と薄膜片はマスク本体の上辺で接合または粘着されるが、薄膜片の下辺付近にも接合または粘着剤の配置をしマスク本体と薄膜片のずれ防止、膨らみの安定確保を図ると良い。
【００２５】  粘着部に粘着材を付けておくのは、薄膜片又はマスク本体のどちらでも良い。
【００２６】  薄膜片の下辺に可塑材料を付けて薄膜片の下辺を膨らませる場合、薄膜片に伸縮性のある材料を用いて、薄膜片の上辺をマスク本体と接合しても良い。
【００２７】  目印は、目盛りでも形状でも良い。
【符号の説明】
【００２８】１０  マスク本体
１１  耳掛紐
２１  粘着部
２２  接合部
２３  粘着部
２５  粘着部
２６  粘着部
３０  薄膜片
４０  塑性変形する材料
【図１】
2016216873.tif 000003
【図２】
2016216873.tif 000004
【図３】
2016216873.tif 000005
【図４】
2016216873.tif 000006
【図５】
2016216873.tif 000007
【図６】
2016216873.tif 000008
【図７】
2016216873.tif 000009
【図８】
2016216873.tif 000010
【図９】
2016216873.tif 000011
【図１０】
2016216873.tif 000012
【図１１】
2016216873.tif 000013